(57)【要約】【課題】エンジン停止中の燃料噴射弁からの燃料漏れを低減しながら、エンジン停止中に高圧燃料系内の燃料中にベーパが発生するのを防止して、再始動性を向上させる。【解決手段】高圧ポンプ１４から燃料噴射弁３４までの高圧燃料系にリリーフバルブ４１を設け、エンジン停止後に高圧燃料系内の燃料中にベーパが発生しない燃圧範囲内で低い燃圧に設定された停止後目標燃圧Ｐtargetまで高圧燃料系内の燃圧を減圧するようにリリーフバルブ４１の開閉動作を制御する。更に、エンジン停止直後の燃圧Ｐ(0) と所定時間ｔ経過後の燃圧Ｐ(t) との差分ΔＰ(t) に基づいて燃圧低下速度情報の学習値Ｐadp を更新し、エンジン停止直後の高圧燃料系の温度環境（燃料温度、外気温等）に基づいて停止後目標燃圧ベース値Ｐtarget(0) を算出し、この停止後目標燃圧ベース値Ｐtarget(0) に燃圧低下速度情報の学習値Ｐadp を加算して停止後目標燃圧Ｐtargetを求める。【選択図】図１
2009091963.tif 000002
【特許請求の範囲】
【請求項１】
高圧ポンプから燃料噴射弁に高圧の燃料を供給する高圧燃料系内の燃料の圧力（以下「燃圧」という）を内燃機関の停止後に減圧するための減圧機構と、前記高圧燃料系内の燃圧を検出する燃圧検出手段と、内燃機関の停止後に前記高圧燃料系内の燃圧を減圧するように前記減圧機構を制御する停止後燃圧制御手段とを備えた筒内噴射式内燃機関の停止後燃圧制御装置において、
前記停止後燃圧制御手段は、内燃機関の停止後に前記高圧燃料系内の燃料中にベーパが発生しない燃圧範囲内で低い燃圧に設定された停止後目標燃圧まで前記高圧燃料系内の燃圧を減圧するように前記減圧機構を制御することを特徴とする筒内噴射式内燃機関の停止後燃圧制御装置。
【請求項２】
前記停止後燃圧制御手段は、前記停止後目標燃圧を、内燃機関の停止時の前記高圧燃料系内の燃料温度、冷却水温、油温、外気温のうちのいずれか１つ又は複数の温度に基づいて設定することを特徴とする請求項１に記載の筒内噴射式内燃機関の停止後燃圧制御装置。
【請求項３】
前記停止後燃圧制御手段は、前記内燃機関の停止時の前記高圧燃料系内の燃料温度、冷却水温、油温、外気温のうちの前記停止後目標燃圧の設定時に用いる温度が高くなるほど前記停止後目標燃圧を高く設定することを特徴とする請求項２に記載の筒内噴射式内燃機関の停止後燃圧制御装置。
【請求項４】
内燃機関停止後の時間経過に伴う前記高圧燃料系内の燃圧の低下速度又はこれに相関する情報（以下これらを「燃圧低下速度情報」という）を学習してその学習値を書き換え可能な不揮発性の記憶手段に記憶する燃圧低下速度学習手段を備え、
前記停止後燃圧制御手段は、前記記憶手段に記憶された前記燃圧低下速度情報の学習値を前記停止後目標燃圧の設定値に反映させることを特徴とする請求項１乃至３のいずれかに記載の筒内噴射式内燃機関の停止後燃圧制御装置。
【請求項５】
前記燃圧低下速度学習手段は、内燃機関停止直後の燃圧と所定時間経過後の燃圧との差分に基づいて前記燃圧低下速度情報の学習値を更新し、
前記停止後燃圧制御手段は、内燃機関停止直後の前記高圧燃料系内の燃料温度、冷却水温、油温、外気温のうちのいずれか１つ又は複数の温度に基づいて停止後目標燃圧ベース値を算出し、この停止後目標燃圧ベース値に前記燃圧低下速度情報の学習値を加算して前記停止後目標燃圧を求めることを特徴とする請求項４に記載の筒内噴射式内燃機関の停止後燃圧制御装置。
【請求項６】
前記燃圧低下速度学習手段は、前記燃圧低下速度情報の学習値を内燃機関停止直後の前記高圧燃料系内の燃圧、燃料温度、外気温の少なくとも１つをパラメータとする学習マップに割り付けて学習することを特徴とする請求項４又は５に記載の筒内噴射式内燃機関の停止後燃圧制御装置。
【発明の詳細な説明】
【技術分野】
【０００１】
本発明は、内燃機関の停止後に高圧燃料系内の燃圧を減圧するための減圧機構を備えた筒内噴射式内燃機関の停止後燃圧制御装置に関する発明である。
【背景技術】
【０００２】
気筒内に燃料を直接噴射する筒内噴射式エンジンは、吸気ポートに燃料を噴射する吸気ポート噴射式エンジンと比較して、噴射から燃焼までの時間が短く、噴射燃料を霧化させる時間を十分に稼ぐことができないため、噴射圧力を高圧にして噴射燃料を微粒化する必要がある。そのため、特許文献１（特開２００３−３２２０４８号公報）に記載されているように、筒内噴射式エンジンでは、燃料タンクから低圧ポンプで汲み上げた燃料を、エンジンのカム軸で駆動される高圧ポンプに供給し、この高圧ポンプから吐出される高圧の燃料を高圧燃料配管を通して燃料噴射弁へ圧送するようにしている。
【０００３】
一般に、高圧ポンプは、吐出した燃料の逆流を防止する逆止弁を設けることで、高圧燃料配管内の燃圧（燃料圧力）を高圧に維持するようにしているが、エンジン停止後に高圧燃料配管内の燃圧が高圧に維持されると、エンジン停止中に燃料噴射弁からの燃料漏れ量（油密漏れ量）が多くなる傾向があり、その漏れ燃料が筒内に溜まって次の始動時に未燃焼のまま排出されてしまい、始動時の排気エミッションが悪化するという問題がある。
【０００４】
この対策として、特許文献２（特開平１０−８９１７６号公報）、特許文献３（特開２００５−２６４９０２号公報）等に記載されているように、高圧ポンプから燃料噴射弁に高圧燃料を供給する高圧燃料系の所定部位（デリバリパイプ、高圧燃料配管、高圧ポンプ等）に電磁駆動式のリリーフバルブを設けて、エンジン停止時にリリーフバルブを開弁して高圧燃料系内の燃圧を低下させるようにしたものがある。
【特許文献１】特開２００３−３２２０４８号公報
【特許文献２】特開平１０−８９１７６号公報
【特許文献３】特開２００５−２６４９０２号公報
【発明の開示】
【発明が解決しようとする課題】
【０００５】
しかし、エンジン停止直後の高温環境下でリリーフバルブが開弁されて高圧燃料系内の燃圧が低下すると、高圧燃料系内の燃料中にベーパ（気泡）が発生して、そのベーパで再始動時の燃料噴射が妨げられてしまい、再始動性が悪化するという問題があった。
【０００６】
本発明はこのような事情を考慮してなされたものであり、従ってその目的は、内燃機関停止中の燃料噴射弁からの燃料漏れを低減しながら、内燃機関停止中に高圧燃料系内の燃料中にベーパが発生するのを防止して、再始動性を向上させることができる筒内噴射式内燃機関の停止後燃圧制御装置を提供することにある。
【課題を解決するための手段】
【０００７】
上記目的を達成するために、請求項１に係る発明は、高圧ポンプから燃料噴射弁に高圧の燃料を供給する高圧燃料系内の燃料の圧力（以下「燃圧」という）を内燃機関の停止後に減圧するための減圧機構と、前記高圧燃料系内の燃圧を検出する燃圧検出手段と、内燃機関の停止後に前記高圧燃料系内の燃圧を減圧するように前記減圧機構を制御する停止後燃圧制御手段とを備えた筒内噴射式内燃機関の停止後燃圧制御装置において、前記停止後燃圧制御手段によって、内燃機関の停止後に前記高圧燃料系内の燃料中にベーパが発生しない燃圧範囲内で低い燃圧に設定された停止後目標燃圧まで前記高圧燃料系内の燃圧を減圧するように前記減圧機構を制御するようにしたものである。この構成では、内燃機関の停止後に高圧燃料系内の燃圧を該高圧燃料系内の燃料中にベーパが発生しない燃圧範囲内で低い燃圧に制御できるため、内燃機関停止中の燃料噴射弁からの燃料漏れ（以下「油密漏れ」という）を低減しながら、内燃機関停止中に高圧燃料系内の燃料中にベーパが発生するのを防止して、再始動性を向上させることができる。
【０００８】
この場合、請求項２のように、前記停止後目標燃圧を、内燃機関の停止時の高圧燃料系内の燃料温度、冷却水温、油温、外気温のうちのいずれか１つ又は複数の温度に基づいて設定するようにすると良い。内燃機関停止後の高圧燃料系の温度環境が高温になるほど、燃料中にベーパが発生しやすくなって、そのベーパの発生を抑えるのに必要な燃圧が高くなるという関係がある。従って、請求項３のように、内燃機関の停止時の高圧燃料系内の燃料温度、冷却水温、油温、外気温のうちの停止後目標燃圧の設定時に用いる温度が高くなるほど停止後目標燃圧を高く設定するようにすれば、内燃機関停止後の高圧燃料系内の燃料中にベーパが発生しやすい高温環境になるほど、停止後目標燃圧を高く設定して、ベーパの発生を抑制するという制御が可能となり、ベーパによる再始動性悪化を効果的に防止できる。
【０００９】
ところで、内燃機関の停止後に外気によって高圧燃料系が冷やされて高圧燃料系内の燃料温度が徐々に低下して燃圧が徐々に低下する。このため、内燃機関停止直後の燃圧・燃料温度状態のみを基準にして停止後目標燃圧を設定すると、内燃機関停止後の時間経過（自然放冷）に伴って高圧燃料系内の燃料温度がベーパが発生しにくい温度域まで低下する前に、ベーパの発生を抑制するのに必要な燃圧を確保できなくなってしまう可能性がある。
【００１０】
そこで、請求項４のように、内燃機関停止後の時間経過に伴う高圧燃料系内の燃圧の低下速度又はこれに相関する情報（以下これらを「燃圧低下速度情報」という）を学習してその学習値を書き換え可能な不揮発性の記憶手段に記憶する燃圧低下速度学習手段を備え、前記記憶手段に記憶された燃圧低下速度情報の学習値を停止後目標燃圧の設定値に反映させるようにしても良い。このようにすれば、内燃機関停止後の時間経過（自然放冷）に伴う高圧燃料系内の燃圧低下分を考慮して停止後目標燃圧を設定できるため、内燃機関停止後の時間経過により燃圧が低下しても、ベーパの発生を抑制するのに必要な燃圧を確保することができる。
【００１１】
この場合、請求項５のように、前記燃圧低下速度学習手段は、内燃機関停止直後の燃圧と所定時間経過後の燃圧との差分に基づいて燃圧低下速度情報の学習値を更新し、前記停止後燃圧制御手段は、内燃機関停止直後の高圧燃料系の温度環境（燃料温度、冷却水温、油温、外気温のうちのいずれか１つ又は複数の温度）に基づいて停止後目標燃圧ベース値を算出し、この停止後目標燃圧ベース値に前記燃圧低下速度情報の学習値を加算して停止後目標燃圧を求めるようにしても良い。このようにすれば、内燃機関停止直後から高圧燃料系内の燃料温度がベーパが発生しにくい温度域に低下するまでの燃料温度低下による燃圧低下分に相関するデータを学習することができ、この学習値を、内燃機関停止直後の温度環境に基づいて算出した停止後目標燃圧ベース値に加算することで、精度の良い停止後目標燃圧を設定することができる。
【００１２】
この場合、内燃機関停止後の燃圧低下速度は、内燃機関停止直後の高圧燃料系内の燃圧、燃料温度、外気温によって変化するため、請求項６のように、燃圧低下速度情報の学習値を内燃機関停止直後の高圧燃料系内の燃圧、燃料温度、外気温の少なくとも１つをパラメータとする学習マップに割り付けて学習するようにすると良い。これにより、燃圧低下速度情報の学習値の精度を高めることができる。
【発明を実施するための最良の形態】
【００１３】
以下、本発明を実施するための最良の形態を具体化した一実施例を説明する。
まず、図１に基づいて筒内噴射式のエンジン（内燃機関）の高圧燃料供給システム全体の概略構成を説明する。
【００１４】
燃料を貯溜する燃料タンク１１内には、燃料を汲み上げる低圧ポンプ１２が設置されている。この低圧ポンプ１２は、バッテリ（図示せず）を電源とする電動モータ（図示せず）によって駆動される。この低圧ポンプ１２から吐出される燃料は、燃料配管１３を通して高圧ポンプ１４に供給される。燃料配管１３には、プレッシャレギュレータ１５が接続され、このプレッシャレギュレータ１５によって低圧ポンプ１２の吐出圧（高圧ポンプ１４への燃料供給圧力）が所定圧力に調圧され、その圧力を越える燃料の余剰分が燃料戻し管１６により燃料タンク１１内に戻されるようになっている。
【００１５】
図２に示すように、高圧ポンプ１４は、円筒状のポンプ室１８内でピストン１９を往復運動させて燃料を吸入／吐出するピストンポンプであり、ピストン１９は、エンジンのカム軸２０に嵌着されたカム２１の回転運動によって駆動される。この高圧ポンプ１４の吸入口２２側には、燃圧制御弁２３が設けられている。この燃圧制御弁２３は、常開型の電磁弁であり、吸入口２２を開閉する弁体２４と、この弁体２４を開弁方向に付勢するスプリング２５と、弁体２４を閉弁方向に電磁駆動するソレノイド２６とから構成されている。
【００１６】
高圧ポンプ１４の吸入行程（ピストン１９の下降時）においては、燃圧制御弁２３が開弁されてポンプ室１８内に燃料が吸入され、吐出行程（ピストン１９の上昇時）においては、燃圧制御弁２３の閉弁時間（閉弁開始時期からピストン１９の上死点までの閉弁状態の時間）を制御することで、高圧ポンプ１４の吐出量を制御して燃圧（吐出圧力）を制御する。
【００１７】
つまり、燃圧を上昇させるときには、燃圧制御弁２３の閉弁開始時期（通電時期）を進角させることで、燃圧制御弁２３の閉弁時間を長くして高圧ポンプ１４の吐出量を増加させ、逆に、燃圧を低下させるときには、燃圧制御弁２３の閉弁開始時期（通電時期）を遅角させることで、燃圧制御弁２３の閉弁時間を短くして高圧ポンプ１４の吐出量を減少させる。
【００１８】
一方、高圧ポンプ１４の吐出口２７側には、吐出した燃料の逆流を防止する逆止弁２８が設けられている。図１に示すように、高圧ポンプ１４から吐出された燃料は、高圧燃料配管３２を通してデリバリパイプ３３に送られ、このデリバリパイプ３３からエンジンのシリンダヘッドに気筒毎に取り付けられた燃料噴射弁３４に高圧の燃料が分配される。高圧燃料配管３３（又はデリバリパイプ３３）には、高圧燃料配管３２内（高圧燃料系内）の燃圧を検出する燃圧センサ３５（燃圧検出手段）が設けられ、エンジンのシリンダブロックには、冷却水温を検出する冷却水温センサ３６が設けられている。その他、外気温を検出する外気温センサ３９と、エンジン１１の油温を検出する油温センサ４０等が設けられている。
【００１９】
本実施例では、高圧ポンプ１４から燃料噴射弁３４に高圧の燃料を供給する高圧燃料系の所定部位、例えばデリバリパイプ３３には、高圧燃料系内の燃圧を減圧するための減圧機構としてリリーフバルブ４１（減圧弁）が設けられ、このリリーフバルブ４１の排出ポートがリリーフ配管４２を介して低圧側の燃料配管１３に接続されている。
【００２０】
このリリーフバルブ４１は、例えば常閉型の電磁駆動式のものが用いられ、後述するＥＣＵ３７によってリリーフバルブ４１への通電のオン／オフが制御される。リリーフバルブ４１に通電されると、該リリーフバルブ４１が開弁してデリバリパイプ３３内の燃料の一部がリリーフバルブ４１からリリーフ配管４２を通して低圧側の燃料配管１３に流出して燃料タンク１１内に戻されることで、高圧燃料系内の燃圧が低下する。そして、リリーフバルブ４１への通電がオフされると、リリーフバルブ４１が閉弁して高圧燃料系内の燃圧が保持される。
【００２１】
図１の構成例では、リリーフバルブ４１をデリバリパイプ３３に設けているが、高圧ポンプ１４から燃料噴射弁３４までの高圧燃料系であれば、デリバリパイプ３３以外の箇所にリリーフバルブ４１を設けても良く、例えば、高圧燃料配管３２又は高圧ポンプ１４にリリーフバルブ４１を設けても良い。また、図１の構成例では、リリーフ配管４２の出口を低圧側の燃料配管１３のうちの低圧ポンプ１２の吐出側に接続しているが、リリーフ配管４２の出口を燃料タンク１１内に開口させて、リリーフ配管４２から流出する燃料を燃料タンク１１内に直接戻すようにしても良い。
【００２２】
エンジンの運転を制御するエンジン制御回路（以下「ＥＣＵ」と表記する）３７は、マイクロコンピュータを主体として構成され、エンジン運転中に燃圧センサ３５で検出した高圧燃料系内の燃圧（燃料噴射弁３４に供給する燃料の圧力）を目標燃圧に一致させるように高圧ポンプ１４の吐出量（燃圧制御弁２３の通電時期）をフィードバック制御する。      
【００２３】
更に、ＥＣＵ３７は、エンジン停止後に高圧燃料系内の燃料中にベーパが発生しない燃圧範囲内で低い燃圧に設定された停止後目標燃圧Ｐtargetまで高圧燃料系内の燃圧を減圧するようにリリーフバルブ４１の開閉動作（通電のオン／オフ）を制御する。
【００２４】
本実施例では、図７に示すように、エンジン停止直後の燃圧Ｐ(0) と所定時間ｔ経過後の燃圧Ｐ(t) との差分ΔＰ(t) に基づいて燃圧低下速度情報の学習値Ｐadp を更新し、エンジン停止直後の高圧燃料系の温度環境（燃料温度、冷却水温、油温、外気温のうちのいずれか１つ又は複数の温度）に基づいて停止後目標燃圧ベース値Ｐtarget(0) を算出し、この停止後目標燃圧ベース値Ｐtarget(0) に燃圧低下速度情報の学習値Ｐadp を加算して停止後目標燃圧Ｐtargetを求めるようにしている。このようにすれば、エンジン停止直後から高圧燃料系内の燃料温度がベーパが発生しにくい温度域に低下するまでの燃料温度低下による燃圧低下分に相関するデータ［燃圧差分ΔＰ(t) ］を用いて燃圧低下速度情報の学習値Ｐadp を更新することができ、この学習値Ｐadp を、エンジン停止直後の温度環境に基づいて算出した停止後目標燃圧ベース値Ｐtarget(0) に加算することで、精度の良い停止後目標燃圧Ｐtargetを求めることができる。
Ｐtarget＝Ｐtarget(0) ＋Ｐadp
【００２５】
この場合、エンジン停止後の燃圧低下速度は、エンジン停止直後の高圧燃料系内の燃圧、燃料温度、外気温によって変化することを考慮して、本実施例では、燃圧低下速度情報の学習値Ｐadp をエンジン停止直後の高圧燃料系内の燃圧、燃料温度、外気温の少なくとも１つをパラメータとする学習マップに割り付けて学習するようにしている。
【００２６】
以上説明した停止後目標燃圧Ｐtargetの設定処理とエンジン停止後の燃圧制御は、ＥＣＵ３７によって図３のエンジン停止後燃圧制御プログラムに従って実行される。本プログラムは、ＥＣＵ３７の電源オン中に実行され、特許請求の範囲でいう停止後燃圧制御手段としての役割を果たす。尚、エンジン停止後も暫くの間、本プログラムを実行するために、イグニッションスイッチ（以下「ＩＧスイッチ」と表記する）３８のオフ後も暫くの間、電源ラインのメインリレー（図示せず）をオン状態に維持してＥＣＵ３７への通電が継続されるようになっている。
【００２７】
本プログラムが起動されると、まずステップ１０１で、ＩＧスイッチ３８がオフ（ＯＦＦ）されたか否かを判定して、ＩＧスイッチ３８がオフされるまで待機する。その後、ＩＧスイッチ３８がオフされた時点で、ステップ１０２に進み、外気温センサ３９、冷却水温センサ３６、油温センサ４０、燃圧センサ３５によって検出したエンジン停止直後（ＩＧスイッチ３８のオフ直後）の外気温、冷却水温、油温、高圧燃料系内の燃圧Ｐ(0) を読み込む。
【００２８】
この後、ステップ１０３に進み、高圧燃料系内の燃料温度を検出又は推定する。高圧燃料系に燃料温度センサ（図示せず）を備えたシステムの場合は、この燃料温度センサで燃料温度を直接検出すれば良いが、燃料温度センサを備えていない場合は、図５に示すように、燃料温度に相関するエンジン温度情報である冷却水温と油温をパラメータとして燃料温度を推定する２次元マップを用いて、上記ステップ１０２で検出したエンジン停止直後の冷却水温と油温に応じた燃料温度を推定するようにすれば良い。この際、冷却水温や油温が高くなるほど、エンジン温度が高くなって燃料温度が高くなるという関係を考慮して、燃料温度を推定する２次元マップは、冷却水温や油温が高くなるほど、燃料温度が高くなるように設定されている。
【００２９】
燃料温度の検出又は推定後、ステップ１０４に進み、上記ステップ１０２で検出したエンジン停止直後の冷却水温が所定温度以上であるか否かを判定する。ここで、所定温度は、例えば高圧燃料系内の燃料温度がベーパが発生しやすい温度域の下限温度に設定されている。このステップ１０４で、燃料温度が所定温度以上と判定されれば、エンジン停止中にベーパが発生しやすい燃料温度であると判断して、ステップ１０５に進み、エンジン停止直後の高圧燃料系の温度環境（燃料温度、冷却水温、油温、外気温のうちのいずれか１つ又は複数の温度）に基づいて停止後目標燃圧ベース値Ｐtarget(0) を算出する。
【００３０】
例えば、図４、図５に示すように、燃料温度（センサ値又は推定値）と外気温とをパラメータとして停止後目標燃圧ベース値Ｐtarget(0) を算出する２次元マップを用いて、エンジン停止直後の燃料温度と外気温に応じた停止後目標燃圧ベース値Ｐtarget(0) を算出するようにしても良い。この際、燃料温度や外気温が高くなるほど、ベーパが発生しやすくなるという関係を考慮して、停止後目標燃圧ベース値Ｐtarget(0) を算出する２次元マップは、燃料温度や外気温が高くなるほど、停止後目標燃圧ベース値Ｐtarget(0) が高くなるように設定されている。
【００３１】
停止後目標燃圧ベース値Ｐtarget(0) の算出後、ステップ１０６に進み、停止後目標燃圧ベース値Ｐtarget(0) に、後述するステップ１１３で学習した燃圧低下速度情報の学習値Ｐadp を加算して停止後目標燃圧Ｐtargetを求める。
Ｐtarget＝Ｐtarget(0) ＋Ｐadp
【００３２】
この際、図６に示すように、学習値Ｐadp は、エンジン停止直後の燃圧Ｐ(0) と燃料温度と外気温をパラメータとする３次元の学習マップから、その時点の燃圧Ｐ(0) と燃料温度と外気温に対応する学習領域の学習値Ｐadp が用いられる。
【００３３】
停止後目標燃圧Ｐtargetの算出後、ステップ１０７に進み、燃圧センサ３５で検出した現在の高圧燃料系内の燃圧が停止後目標燃圧Ｐtargetよりも高いか否かを判定し、現在の高圧燃料系内の燃圧が停止後目標燃圧Ｐtargetよりも高ければ、ステップ１０８に進み、リリーフバルブ４１に通電してこれを開弁して高圧燃料系内の燃圧を減圧する。
【００３４】
この後、高圧燃料系内の燃圧が停止後目標燃圧Ｐtargetまで減圧された時点で、ステップ１０９に進み、リリーフバルブ４１への通電をオフしてこれを閉弁して高圧燃料系内の燃圧の減圧を終了し、高圧燃料系内の燃圧を停止後目標燃圧Ｐtargetに維持する。
【００３５】
そして、次のステップ１１０で、エンジン停止から所定時間ｔが経過したか否かを判定し、エンジン停止から所定時間ｔが経過するまで待機する。ここで、所定時間ｔは、例えば、エンジン停止から高圧燃料系内の燃料温度がベーパが発生しにくい温度域に低下するまでの平均的な時間に設定されている。
【００３６】
その後、エンジン停止から所定時間ｔが経過した時点で、ステップ１１１に進み、その時点の高圧燃料系内の燃圧Ｐ(t) を燃圧センサ３５により検出した後、ステップ１１２に進み、エンジン停止直後の燃圧Ｐ(0) と所定時間ｔ経過後の燃圧Ｐ(t) との燃圧差分ΔＰ(t) を算出する。
ΔＰ(t) ＝Ｐ(0) −Ｐ(t)
【００３７】
この後、ステップ１１３に進み、燃圧差分ΔＰ(t) を用いて燃圧低下速度情報の学習値Ｐadp を算出し、この学習値Ｐadp を、ＥＣＵ３７の書き換え可能な不揮発性の記憶手段であるバックアップＲＡＭ（図示せず）に更新記憶する。この場合、エンジン停止後の燃圧低下速度は、エンジン停止直後の高圧燃料系内の燃圧Ｐ(0) 、燃料温度、外気温によって変化するため、例えば、図６に示すように、燃圧低下速度情報の学習値Ｐadp をエンジン停止直後の高圧燃料系内の燃圧Ｐ(0) 、燃料温度、外気温をパラメータとする３次元の学習マップに割り付けて学習するようにすれば良い。
【００３８】
学習値Ｐadp の更新方法は、図６に示すように、学習マップから、今回のエンジン停止直後の燃圧Ｐ(0) と燃料温度と外気温に対応する学習領域の学習値Ｐadp'を読み出し、この学習値Ｐadp'と燃圧差分ΔＰ(t) との平均値を算出して、この平均値を当該学習領域の新たな学習値Ｐadp として更新記憶する。
Ｐadp ＝｛Ｐadp'＋ΔＰ(t) ｝／２
【００３９】
或は、燃圧差分ΔＰ(t) を用いて学習値Ｐadp を次のなまし処理式により更新するようにしても良い。
Ｐadp ＝Ｐadp'×（１−α）＋ΔＰ(t) ×α
上式において、αはなまし係数で、０＜α＜１の範囲で設定される。
【００４０】
尚、学習値Ｐadp は、エンジン停止直後の燃圧Ｐ(0) と、燃料温度と外気温との温度差をパラメータとする２次元の学習マップに割り付けて学習するようにしても良い。上記ステップ１１０〜１１３の処理が特許請求の範囲でいう燃圧低下速度学習手段としての役割を果たす。
【００４１】
一方、前述したステップ１０４で、燃料温度が所定温度未満と判定されれば、エンジン停止中にベーパが発生しにくい燃料温度であると判断して、ステップ１１４に進み、停止後目標燃圧Ｐtargetを設定燃圧に設定する。この設定燃圧は、エンジン停止中の燃料噴射弁３４からの燃料漏れ（油密漏れ）を防止できる燃圧に設定されている。
【００４２】
この後、ステップ１１５に進み、燃圧センサ３５で検出した現在の高圧燃料系内の燃圧が停止後目標燃圧Ｐtargetよりも高いか否かを判定し、現在の高圧燃料系内の燃圧が停止後目標燃圧Ｐtargetよりも高ければ、ステップ１１６に進み、リリーフバルブ４１に通電してこれを開弁して高圧燃料系内の燃圧を減圧する。その後、高圧燃料系内の燃圧が停止後目標燃圧Ｐtargetまで減圧された時点で、ステップ１１７に進み、リリーフバルブ４１への通電をオフしてこれを閉弁して高圧燃料系内の燃圧の減圧を終了し、高圧燃料系内の燃圧を停止後目標燃圧Ｐtargetに維持する。
【００４３】
以上説明した本実施例では、エンジン停止後に高圧燃料系内の燃料中にベーパが発生しない燃圧範囲内で低い燃圧に設定された停止後目標燃圧Ｐtargetまで高圧燃料系内の燃圧を減圧するようにリリーフバルブ４１の開閉動作（通電のオン／オフ）を制御するようにしたので、エンジン停止中の燃料噴射弁３４からの燃料漏れ（油密漏れ）を低減しながら、エンジン停止中に高圧燃料系内の燃料中にベーパが発生するのを防止して、再始動性を向上させることができる。
【図面の簡単な説明】
【００４４】
【図１】本発明の一実施例における高圧燃料供給システム全体の概略構成図である。
【図２】高圧ポンプの構成図である。
【図３】エンジン停止後燃圧制御プログラムの処理の流れを示すフローチャートである。
【図４】高圧燃料系に燃料温度センサを備えている場合の停止後目標燃圧Ｐtargetの算出方法を説明するブロック図である。
【図５】高圧燃料系に燃料温度センサを備えていない場合の停止後目標燃圧Ｐtargetの算出方法を説明するブロック図である。
【図６】燃圧低下速度情報の学習値Ｐadp の更新方法を説明するブロック図である。
【図７】エンジン停止後の高圧燃料系内の燃圧低下挙動とエンジン停止から所定時間ｔ経過後に燃圧Ｐ(t) を検出して燃圧差分ΔＰ(t) を求める方法を説明するタイムチャートである。
【符号の説明】
【００４５】
１１…燃料タンク、１２…低圧ポンプ、１４…高圧ポンプ、１８…ポンプ室、１９…ピストン、２２…吸入口、２３…燃圧制御弁、２７…吐出口、２８…逆止弁、３２…高圧燃料配管、３３…デリバリパイプ、３４…燃料噴射弁、３５…燃圧センサ（燃圧検出手段）、３６…冷却水温センサ、３７…ＥＣＵ（停止後燃圧制御手段，燃圧低下速度学習手段）、３８…イグニッションスイッチ、３９…外気温センサ、４０…油温センサ、４１…リリーフバルブ（減圧機構）、４２…リリーフ配管
【図１】
2009091963.tif 000003
【図２】
2009091963.tif 000004
【図３】
2009091963.tif 000005
【図４】
2009091963.tif 000006
【図５】
2009091963.tif 000007
【図６】
2009091963.tif 000008
【図７】
2009091963.tif 000009